(57)【要約】【課題】動物が接触しても転倒することなく、組み立てと解体が容易で、動物の習性に応じて最適な配置とすることができる構造ユニットを提供する。【解決手段】本発明に係る構造ユニット１は、野生動物を所定の場所に誘導するための動物誘導装置に用いられるものであって、間隔を空けて地面に立設される３つの支柱部材２と、隣接する２つの支柱部材２同士を連結する３つの支柱連結部材３と、を備え、３つの支柱部材２の下端部２ａを結んで形成される三角形状の底面領域Ｄと、支柱連結部材３により連結される２つの支柱部材２の上端部２ｂ及び下端部２ａを結んで形成されるとともに底面領域Ｄの一辺を底辺とした側面領域Ｓと、により囲まれる空間Ｑが形成されることを特徴とする。【選択図】図２
2020156396.tif 000002
【特許請求の範囲】
【請求項１】
野生動物を所定の場所に誘導するための動物誘導装置に用いられる構造ユニットであって、
間隔を空けて地面に立設される３つの支柱部材と、
隣接する２つの前記支柱部材同士を連結する３つの支柱連結部材と、を備え、
３つの前記支柱部材の下端部を結んで形成される三角形状の底面領域と、前記支柱連結部材により連結される２つの前記支柱部材の上端部及び下端部を結んで形成されるとともに前記底面領域の一辺を底辺とした側面領域と、により囲まれる空間が形成されること
を特徴とする構造ユニット。
【請求項２】
前記支柱連結部材は、
隣接する２つの前記支柱部材の下端部同士を連結する下連結梁と、
隣接する２つの前記支柱部材を連結して前記下連結梁よりも上側に配置される上連結梁と、を有すること
を特徴とする請求項１記載の構造ユニット。
【請求項３】
前記下連結梁は、板状の第１板部と、前記第１板部に垂直な板状の第２板部とを有すること
を特徴とする請求項２記載の構造ユニット。
【請求項４】
前記下連結梁は、地面に埋設される埋設部を有すること
を特徴とする請求項２または３に記載の構造ユニット。
【請求項５】
前記支柱連結部材は、前記下連結梁と前記上連結梁とを接続するブレース材を更に有すること
を特徴とする請求項２〜４の何れか１項記載の構造ユニット。
【請求項６】
３つの前記支柱連結部材のうち１つ又は２つの前記支柱連結部材は、前記側面領域に沿って設けられる面材を有すること
を特徴とする請求項１〜５の何れか１項記載の構造ユニット。
【請求項７】
野生動物を所定の場所に誘導するための動物誘導装置であって、
隣接して配置される複数の構造ユニットを備え、
前記構造ユニットは、
間隔を空けて地面に立設される３つの支柱部材と、
隣接する２つの前記支柱部材同士を連結する３つの支柱連結部材と、を有し、
３つの前記支柱部材の下端部を結んで形成される三角形状の底面領域と、前記支柱連結部材により連結される２つの前記支柱部材の上端部及び下端部を結んで形成されるとともに前記底面領域の一辺を底辺とした側面領域と、により囲まれる空間が形成され、
複数の前記構造ユニットは、第１の前記構造ユニットと、第２の前記構造ユニットとを有し、
第１の前記構造ユニットと、第１の前記構造ユニットに隣接する第２の前記構造ユニットとは、
第１の前記構造ユニットにおける３つの前記支柱部材のうちの１つの前記支柱部材が、第２の前記構造ユニットにおける３つの前記支柱部材のうちの１つの前記支柱部材である第１配置、及び、
第１の前記構造ユニットにおける３つの前記支柱部材のうちの２つの前記支柱部材が、第２の前記構造ユニットにおける３つの前記支柱部材のうちの２つの前記支柱部材である第２配置、の少なくとも何れかで配置されること
を特徴とする動物誘導装置。
【請求項８】
第１の前記構造ユニットと、第１の前記構造ユニットに離間して配置される第３の前記構造ユニットとを連結するユニット連結部材を更に備えること
を特徴とする請求項７記載の動物誘導装置。
【請求項９】
前記ユニット連結部材は、第１の前記構造ユニットにおける前記支柱部材と、第３の前記構造ユニットにおける前記支柱部材とを連結すること
を特徴とする請求項８記載の動物誘導装置。
【請求項１０】
各々の前記構造ユニットは、３つの前記支柱連結部材のうち１つ又は２つの前記支柱連結部材が前記側面領域に沿って設けられる面材を有し、
第１の前記構造ユニットにおける前記面材と、第２の前記構造ユニットにおける前記面材とにより挟まれる角度は、９０°より大きく１８０°以下であること
を特徴とする請求項７〜９の何れか１項記載の動物誘導装置。
【請求項１１】
請求項７〜１０の何れか１項記載の動物誘導装置と、
前記動物誘導装置に設けられて野生動物を捕獲するための捕獲装置と、を備えること
を特徴とする動物捕獲装置。
【発明の詳細な説明】
【技術分野】
【０００１】
本発明は、野生動物を所定の場所に誘導するための動物誘導装置に用いられる構造ユニット、動物誘導装置及び動物捕獲装置に関する。
【背景技術】
【０００２】
近年、日本全国ではシカやイノシシ等の野生動物の増加により、人間の社会環境、とりわけ農林業分野や鉄道・道路交通分野において、深刻な獣害が発生している。地方自治体や森林管理署をはじめとする公的機関では、獣害を低減させるべく、対象動物を有害捕獲、有害駆除等の認可捕獲、狩猟によって個体数の管理と調整を実施している。認可捕獲や狩猟の方法としては、銃猟や網・わな猟が一般的であり、とりわけ網・わな猟については、対象動物、生息密度、地形、気象条件によって様々な捕獲装置が用いられている。
【０００３】
従来、動物の捕獲に関する技術として、囲い罠が用いられる。従来の囲い罠では、野生動物の生息域又は出没地において、柵状の構造物を囲うように設置し、その内部に対象とする野生動物を誘い込み、何らかの手段によって出入口を封鎖することで野生動物を捕獲する。とりわけ、柵状の構造物については、野生動物の接触によって破壊されないように、強度の高い鋼管・鋼材や幹の太い立ち木等を支柱として用い、その支柱に網材や幕材を固定する形式が採用されている。さらに、柵状の構造物として鋼管・鋼材からなる支柱と支柱と同程度のサイズの鋼管・鋼材からなるアンカーとを用いた支柱アンカー構造とする場合、支柱やアンカーをハンマーや打設機を用いて地中に打設・固定するものが多い。柵状の構造物を支柱アンカー構造としない場合、分解が可能で、ある程度の重量と大きさを持った梁・柱構造の自立型フレームによって、網材や幕材を固定する技術や装置も存在する。
【０００４】
動物の捕獲に関する技術としては、特許文献１〜３の開示技術が開示されている。
【０００５】
特許文献１には、透過性を有しない不透過性面材と、透過性を有する透過性面材とにより内部空間を囲う囲い部を備え、前記囲い部は、野生動物が前記内部空間に侵入するための入口部を有し、前記入口部に前記内部空間の外側に向けて突出される前記不透過性面材が衝立面材として設けられるとともに、前記入口部から内部空間方向に視認される位置に前記透過性面材が設けられる野生動物捕獲装置が開示されている。
【０００６】
特許文献２には、エゾ鹿の捕獲を行うため所定のスペースを囲う捕獲用金網柵の所定位置にエゾ鹿の侵入後に閉扉するゲートを配設し、前記捕獲用金網柵に、前記捕獲用金網柵の全長に及んで所定高さの目隠し部を配設した捕獲柵本体部と、エゾ鹿を捕獲する檻で構成される捕獲施設と、前記捕獲柵本体部と前記捕獲施設とを互いに所定間隔離間させた両壁部により連接し、前記両壁部内を介してエゾ鹿を前記捕獲柵本体部から前記捕獲施設に誘導するためのシュート部とを備えたエゾ鹿捕獲柵に於いて、既設のエゾ鹿侵入防止柵の侵入防止金網柵の一部を前記捕獲用金網柵の一部として用いることを特徴とする侵入防止柵を利用したエゾ鹿捕獲柵が開示されている。
【０００７】
特許文献３には、パイプが連結されて多角形に形成された上部枠体と、上部枠体と対応する同形状に形成された下部枠体と、上部枠体を下部枠体から上方に所定間隔離間させて支持する複数の縦パイプと、上部枠体の一つのパイプに取り付けられ、開閉自在の扉部材と、扉部材を取り付けたパイプを除く上部枠体に吊下され、上部枠体から下部枠体を所定長さ超えて下方に張設される囲い網と、囲い網内への鹿の侵入を検知する鹿検知装置と、鹿検知装置の検知作動が伝達されると、扉部材を閉じさせる扉部材開閉装置と、囲い網絞りワイヤーを巻き上げることにより、囲い網の下端部を絞り込むウインチとを備えた鹿の捕獲装置が開示されている。
【先行技術文献】
【特許文献】
【０００８】
【特許文献１】特開２０１８−１６６４８３号公報
【特許文献２】特開２０１２−２４９５６６号公報
【特許文献３】特開２０１０−２０７２１２号公報
【発明の概要】
【発明が解決しようとする課題】
【０００９】
ところで、野生動物の捕獲、誘導に用いられる動物誘導装置は、野生動物が接触したとしても転倒することがない、安定した構造であることが求められる。また、動物誘導装置は、林道沿い等の整地された場所ではなく、緩やかな傾斜や不陸がある場所や、周囲に樹木、切り株、岩石等の障害物が散在している場所に設置されるため、組み立てと解体を容易できるものが求められる。また、動物誘導装置は、野生動物の歩行を妨げない等、対象となる野生動物の体格や行動、習性に合わせて最適な配置ができることが求められる。
【００１０】
特許文献１〜３の開示技術では、任意の支柱の両隣りに立設される支柱において、その支柱同士が互いに連結されていないため、支柱や支柱間に設けられた面材に野生動物が接触したとき、容易に転倒するおそれがある。また、例えば、特許文献２の開示技術では、組み立てや解体が容易でない。また、例えば、特許文献３の開示技術では、野生動物の習性等に応じて最適な配置とされるものではない。
【００１１】
そこで、本発明は、上述した問題点に鑑みて案出されたものであり、その目的とするところは、動物が接触しても転倒することなく、組み立てと解体が容易で、動物の習性に応じて最適な配置とすることができる構造ユニット、動物誘導装置及び動物捕獲装置を提供することにある。
【課題を解決するための手段】
【００１２】
第１発明に係る構造ユニットは、野生動物を所定の場所に誘導するための動物誘導装置に用いられる構造ユニットであって、間隔を空けて地面に立設される３つの支柱部材と、隣接する２つの前記支柱部材同士を連結する３つの支柱連結部材と、を備え、３つの前記支柱部材の下端部を結んで形成される三角形状の底面領域と、前記支柱連結部材により連結される２つの前記支柱部材の上端部及び下端部を結んで形成されるとともに前記底面領域の一辺を底辺とした側面領域と、により囲まれる空間が形成されることを特徴とする。
【００１３】
第２発明に係る構造ユニットは、第１発明において、前記支柱連結部材は、隣接する２つの前記支柱部材の下端部同士を連結する下連結梁と、隣接する２つの前記支柱部材を連結して前記下連結梁よりも上側に配置される上連結梁と、を有することを特徴とする。
【００１４】
第３発明に係る構造ユニットは、第２発明において、前記下連結梁は、板状の第１板部と、前記第１板部に垂直な板状の第２板部とを有ることを特徴とする。
【００１５】
第４発明に係る構造ユニットは、第２発明又は第３発明において、前記下連結梁は、地面に埋設される埋設部を有することを特徴とする。
【００１６】
第５発明に係る構造ユニットは、第２発明〜第４発明の何れかにおいて、前記支柱連結部材は、前記下連結梁と前記上連結梁とを接続するブレース材を更に有することを特徴とする。
【００１７】
第６発明に係る構造ユニットは、第１発明〜第５発明の何れかにおいて、３つの前記支柱連結部材のうち１つ又は２つの前記支柱連結部材は、前記側面領域に沿って設けられる面材を有することを特徴とする。
【００１８】
第７発明に係る動物誘導装置は、野生動物を所定の場所に誘導するための動物誘導装置であって、隣接して配置される複数の構造ユニットを備え、前記構造ユニットは、間隔を空けて地面に立設される３つの支柱部材と、隣接する２つの前記支柱部材同士を連結する３つの支柱連結部材と、を有し、３つの前記支柱部材の下端部を結んで形成される三角形状の底面領域と、前記支柱連結部材により連結される２つの前記支柱部材の上端部及び下端部を結んで形成されるとともに前記底面領域の一辺を底辺とした側面領域と、により囲まれる空間が形成され、複数の前記構造ユニットは、第１の前記構造ユニットと、第２の前記構造ユニットとを有し、第１の前記構造ユニットと、第１の前記構造ユニットに隣接する第２の前記構造ユニットとは、第１の前記構造ユニットにおける３つの前記支柱部材のうちの１つの前記支柱部材が、第２の前記構造ユニットにおける３つの前記支柱部材のうちの１つの前記支柱部材である第１配置、及び、第１の前記構造ユニットにおける３つの前記支柱部材のうちの２つの前記支柱部材が、第２の前記構造ユニットにおける３つの前記支柱部材のうちの２つの前記支柱部材である第２配置、の少なくとも何れかで配置されることを特徴とする。
【００１９】
第８発明に係る動物誘導装置は、第７発明において、第１の前記構造ユニットと、第１の前記構造ユニットに離間して配置される第３の前記構造ユニットとを連結するユニット連結部材を更に備えることを特徴とする。
【００２０】
第９発明に係る動物誘導装置は、第８発明において、前記ユニット連結部材は、第１の前記構造ユニットにおける前記支柱部材と、第３の前記構造ユニットにおける前記支柱部材とを連結することを特徴とする。
【００２１】
第１０発明に係る動物誘導装置は、第７発明〜第９発明の何れかにおいて、各々の前記構造ユニットは、３つの前記支柱連結部材のうち１つ又は２つの前記支柱連結部材が前記側面領域に沿って設けられる面材を有し、第１の前記構造ユニットにおける前記面材と、第２の前記構造ユニットにおける前記面材とにより挟まれる角度は、９０°より大きく１８０°以下であることを特徴とする。
【００２２】
第１１発明に係る動物捕獲装置は、第７発明〜第１０発明の何れかの動物誘導装置と、前記動物誘導装置に設けられて野生動物を捕獲するための捕獲装置と、を備えることを特徴とする。
【発明の効果】
【００２３】
第１発明〜第１１発明によれば、構造ユニットを安定した状態で地面に自立させることができる。また、ある１つの支柱部材は、両隣りの他の２つの支柱部材に支柱連結部材によりそれぞれ連結されており、両隣りの他の２つの支柱同士も支柱連結部材により連結される。即ち、三角形状に配置された３つの支柱部材が互いに支柱連結部材に連結される。このため、構造ユニットに野生動物が接触してある１つの支柱部材に転倒しようとする力が作用したとき、この１つの支柱部材２に連結された両隣りの他の２つの支柱部材２、２により、この力に抵抗することができる。このため、構造ユニットの転倒を防止することが可能となる。
【００２４】
また、第１発明〜第１１発明によれば、支柱部材を地面に埋設させる必要がない。このため、構造ユニットの組み立てと解体を容易に行うことができる。
【００２５】
また、第１発明〜第１１発明によれば、野生動物の習性等に応じて最適な配置とすることが可能となる。
【００２６】
特に、第２発明によれば、構造ユニットを更に安定した状態で地面に自立させることができる。また、構造ユニットに野生動物が接触した場合であっても、構造ユニットの転倒を更に防止することが可能となる。
【００２７】
特に、第３発明によれば、第１板部又は第２板部を介して、下連結梁にブレースや面材の取付を容易とすることができ、構造ユニットに野生動物が接触した場合であっても、構造ユニットの破壊や転倒を防止することが可能となる。
【００２８】
特に、第４発明によれば、空間に野生動物が侵入したとき、野生動物が下連結梁に躓くのを防止することができる。このため、野生動物を所定の場所にスムーズに誘導することができる。
【００２９】
特に、第５発明によれば、構造ユニットを一層安定した状態で地面に自立させることができる。また、構造ユニットに野生動物が接触した場合であっても、構造ユニットの転倒を一層防止することが可能となる。
【００３０】
特に、第６発明によれば、野生動物を所定の場所によりスムーズに誘導することができる。
【００３１】
特に、第７発明によれば、第１の構造ユニットと第２の構造ユニットとを隣接して配置するとき、１つ又は２つの支柱部材が共通化される。これにより、隣接して配置された構造ユニットをより安定した状態で地面に自立させることができる。また、構造ユニットに野生動物の接触等によりある１つの支柱部材に転倒しようとする力が作用したとき、この１つの支柱部材に連結される両隣りの他の２つの支柱部材が、この力に抵抗することができる。このため、構造ユニットの転倒を防止することが可能となる。
【００３２】
特に、第８発明及び第９発明によれば、ユニット連結部材に野生動物の接触等によりユニット連結部材に転倒しようとする力が作用したとき、このユニット連結部材に連結される両隣りの支柱部材が、この力に抵抗することができる。このため、ユニット連結部材の転倒を防止することが可能となる。
【００３３】
特に、第１０発明によれば、野生動物が面材に沿って移動するとき、野生動物の進路が面材によって急激に阻害されるのを抑制することができる。このため、野生動物を所定の場所に一層スムーズに誘導することができる。
【００３４】
特に、第１１発明によれば、野生動物を容易に捕獲することができる。
【図面の簡単な説明】
【００３５】
【図１】図１は、実施形態における構造ユニット、動物誘導装置及び動物捕獲装置の一例を示す斜視図である。
【図２】図２は、実施形態における構造ユニットの一例を示す斜視図である。
【図３】図３は、実施形態における構造ユニットの一例を示す側面図である。
【図４】図４は、図３に示す構造ユニットを図中矢印Ｍ方向から見た図である。
【図５】図５は、実施形態における動物誘導装置の第１配置を示す斜視図である。
【図６】図６は、実施形態における動物誘導装置の第２配置を示す斜視図である。
【図７】図７は、実施形態における動物誘導装置の第３配置を示す斜視図である。
【図８】図８は、図７の動物誘導装置を図中矢印Ｒ方向から見た図である。
【図９】図９は、実施形態における動物捕獲装置の一例を示す平面図である。
【図１０】図１０（ａ）は、面材を１つ有する構造ユニットを示す平面図であり、図１０（ｂ）は、面材を２つ有する構造ユニットを示す平面図である。
【図１１】図１１は、動物捕獲装置の変形例を示す平面図である。
【図１２】図１２は、構造ユニットの第１変形例を示す正面図である。
【図１３】図１３は、構造ユニットの第２変形例を示す正面図である。
【図１４】図１４は、構造ユニットの第３変形例を示す正面図である。
【図１５】図１５は、構造ユニットの第４変形例を示す正面図である。
【図１６】図１６は、構造ユニットの第５変形例を示す正面図である。
【図１７】図１７は、構造ユニットの第６変形例を示す正面図である。
【発明を実施するための形態】
【００３６】
以下、本発明を適用した構造ユニット、動物誘導装置及び動物捕獲装置を実施するための形態について、図面を参照しながら詳細に説明する。
【００３７】
図１は、実施形態における構造ユニット１、動物誘導装置１０及び動物捕獲装置１００の一例を示す斜視図である。
【００３８】
動物捕獲装置１００は、野生動物を捕獲するものである。動物捕獲装置１００は、動物誘導装置１０と、動物誘導装置１０の近傍に設けられて動物を捕獲するための捕獲装置９とを備える。捕獲装置９は、箱状に形成され、入口から動物が侵入した際に自動的に開閉する開閉扉を有する既知の捕獲器等が用いられる。また、動物捕獲装置１００は、必要に応じて、固形餌を設置してもよい。
【００３９】
動物誘導装置１０は、野生動物を捕獲装置９等の所定の場所に誘導する際に用いられる。動物誘導装置１０は、隣接して配置される構造ユニット１を複数備える。
【００４０】
図２は、実施形態における構造ユニット１の一例を示す斜視図である。構造ユニット１は、間隔を空けて地面に立設される３つの支柱部材２と、隣接する２つの支柱部材２、２同士を連結する３つの支柱連結部材３と、を備える。
【００４１】
構造ユニット１は、３つの支柱部材２の下端部２ａを仮想的に結んで形成される三角形状の底面領域Ｄと、支柱連結部材３により連結される２つの支柱部材２の上端部２ｂ及び下端部２ａを仮想的に結んで形成されるとともに底面領域Ｄの一辺を底辺とした四角形状の側面領域Ｓと、３つの支柱部材２の上端部２ｂを仮想的に結んで形成される三角形状の上面領域Ｕと、により囲まれる三角柱状の空間Ｑが形成される。
【００４２】
底面領域Ｄは、平面視で正三角形状に形成される。底面領域Ｄは、平面視で直角三角形状に形成されてもよいし、平面視で二等辺三角形状に形成されてもよい。上面領域Ｕは、平面視で正三角形状に形成される。上面領域Ｕは、平面視で直角三角形状に形成されてもよいし、平面視で二等辺三角形状に形成されてもよい。底面領域Ｄと上面領域Ｕとは、略同一形状の三角形状に形成されてもよいし、異なる形状の三角形状に形成されてもよい。
【００４３】
構造ユニット１は、３つの支柱部材２がそれぞれ地面Ｇに対して略垂直に載置される。３つの支柱部材２は、それぞれ略同一の長さで構成される。また、隣接する２つの支柱部材２、２の離間距離は、それぞれ略同一の距離で離間されることが好ましい。これにより、底面領域Ｄが平面視で略正三角形に形成することができる。
【００４４】
図３は、実施形態における構造ユニット１の一例を示す側面図である。図４は、図３に示す構造ユニット１を図中矢印Ｍ方向から見た図である。支柱部材２は、１つの支柱本体部２１と、支柱本体部２１の下端部に設けられるベースプレート２２と、支柱本体部２１の上端部に上方に向けて突出される突出部２３とを有する。支柱本体部２１は、例えば長さが２ｍ程度、重量が１０ｋｇ以下程度の鋼管等が用いられる。ベースプレート２２は、地面Ｇに載置され、支柱本体部２１の径よりも径大に形成される。ベースプレート２２は、上方に延びて形成される棒状部２２ａを有し、棒状部２２ａが支柱本体部２１の内部に挿入される。
【００４５】
支柱連結部材３は、下連結梁３１と、上連結梁３２とを有する。下連結梁３１の長さと上連結梁３２の長さは、略同一の長さで構成される。
【００４６】
下連結梁３１は、長さが２ｍ程度、重量が１０ｋｇ以下程度の断面Ｌ字状の鋼製のフレーム材が用いられる。下連結梁３１は、隣接する２つの支柱部材２、２の下端部２ａ、２ａ同士を連結する。下連結梁３１は、第１板部３１ａと、第１板部３１ａに略垂直に設けられる第２板部３１ｂと、孔３１ｃと、を有する。下連結梁３１は、第１板部３１ａに、それぞれ略等間隔に形成される複数の孔３１ｃを有する。また、下連結梁３１は、第２板部３１ｂの長手方向の両端側にそれぞれ孔３１ｃを有し、第２板部３１ｂの両端部の孔３１ｃに、ベースプレート２２の棒状部２２ａが貫通される。
【００４７】
上連結梁３２は、長さが２ｍ程度、重量が１０ｋｇ以下程度の断面Ｌ字状の鋼製のフレーム材が用いられる。上連結梁３２は、隣接する２つの支柱部材２、２の上端部２ｂ同士を連結し、下連結梁３１よりも上側に配置される。上連結梁３２は、第１板部３２ａと、第１板部３２ａに略垂直に設けられる第２板部３２ｂと、孔３２ｃと、を有する。上連結梁３２は、第１板部３２ａに、それぞれ略等間隔に形成される複数の孔３２ｃを有する。また、上連結梁３２は、第２板部３２ｂの長手方向の両端側にそれぞれ孔３２ｃを有し、第２板部３２ｂの両端部の孔３２ｃに、支柱本体部２１の突出部２３が貫通される。
【００４８】
３つの支柱連結部材３のうち１つ又は２つの支柱連結部材３は、面材３３を有していてもよい。面材３３は、略矩形状に形成された例えば樹脂製等の幕材や金網等が用いられる。面材３３は、隣接する２つの支柱部材２、２同士を連結する。面材３３は、下連結梁３１と上連結梁３２と支柱部材２と、に取り付けられる。面材３３は、上端側、下端側及び側端側に孔３３ｃが複数形成される。面材３３は、下端側の孔３３ｃが下連結梁３１の孔３１ｃに位置合わせされ、紐等の取付手段を介して下連結梁３１に取り付けられる。面材３３は、上端側の孔３３ｃが上連結梁３２の孔３２ｃと位置合わせされ、紐等の取付手段を介して上連結梁３２に取り付けられる。面材３３は、側端側の孔３３ｃに紐等の取付手段を介して支柱本体部２１に取り付けられる。
【００４９】
動物誘導装置１０は、隣接して配置される構造ユニット１を複数備える。
【００５０】
図５は、実施形態における動物誘導装置１０の第１配置Ａを示す斜視図である。動物誘導装置１０は、第１の構造ユニット１（１１）の３つの支柱部材２のうち１つの支柱部材２が、第１の構造ユニット１（１１）に隣接する第２の構造ユニット１（１２）の３つの支柱部材２のうちの１つの支柱部材２である。このような第１の構造ユニット１１と第２の構造ユニット１２との配置を、第１配置Ａとする。
【００５１】
図６は、実施形態における動物誘導装置１０の第２配置Ｂを示す斜視図である。動物誘導装置１０は、第１の構造ユニット１（１１）の３つの支柱部材２のうち２つの支柱部材２が、第１の構造ユニット１（１１）に隣接する第２の構造ユニット１（１２）の３つの支柱部材２のうちの２つの支柱部材２である。このような第１の構造ユニット１１と第２の構造ユニット１２との配置を、第２配置Ｂとする。
【００５２】
図７は、実施形態における動物誘導装置１０の第３配置Ｃを示す斜視図である。動物誘導装置１０は、第１の構造ユニット１（１１）と、第１の構造ユニット１（１１）に離間した第３の構造ユニット１（１３）とを連結するユニット連結部材８を更に備える。このような第１の構造ユニット１１と第３の構造ユニット１３との配置を、第３配置Ｃとする。
【００５３】
図８は、図７の動物誘導装置１０を図中矢印Ｒ方向から見た図である。ユニット連結部材８は、第１の構造ユニット１１の１つの支柱部材２と、第３の構造ユニット１３の１つの支柱部材２とを連結する。ユニット連結部材８は、下ユニット連結梁８１と、上ユニット連結梁８２と、ユニット面材８３とを有する。
【００５４】
下ユニット連結梁８１は、長さが２ｍ程度、重量が１０ｋｇ以下程度の断面Ｌ字状の鋼製のフレーム材が用いられる。下ユニット連結梁８１は、第１の構造ユニット１１の１つの支柱部材２の下端部２ａと、第３の構造ユニット１３の１つの支柱部材２の下端部２ａと、を連結する。下ユニット連結梁８１は、第１板部８１ａと、第１板部８１ａに略垂直に設けられる第２板部８１ｂと、孔８１ｃと、を有する。下ユニット連結梁８１は、第１板部８１ａに、それぞれ略等間隔に形成される複数の孔８１ｃを有する。また、下ユニット連結梁８１は、第２板部８１ｂの長手方向の両端側にそれぞれ孔８１ｃを有し、第２板部８１ｂの両端部の孔８１ｃに、ベースプレート２２の棒状部２２ａが貫通される。なお、下ユニット連結梁８１は、第１板部（埋設部）８１ａが地面Ｇに埋設され、第２板部８１ｂが地面Ｇ上に載置して設けられてもよい。
【００５５】
上ユニット連結梁８２は、長さが２ｍ程度、重量が１０ｋｇ以下程度の断面Ｌ字状の鋼製のフレーム材が用いられる。上ユニット連結梁８２は、第１の構造ユニット１１の１つの支柱部材２の上端部２ｂと、第３の構造ユニット１３の１つの支柱部材２の上端部２ｂと、を連結する。上ユニット連結梁８２は、下ユニット連結梁８１よりも上側に配置される。上ユニット連結梁８２は、第１板部８２ａと、第１板部８２ａに略垂直に設けられる第２板部８２ｂと、孔８２ｃと、を有する。上ユニット連結梁８２は、第１板部８２ａに、それぞれ略等間隔に形成される複数の孔８２ｃを有する。また、上ユニット連結梁８２は、第２板部８２ｂの長手方向の両端側にそれぞれ孔８２ｃを有し、第２板部８２ｂの両端部の孔８２ｃに、支柱本体部２１の突出部２３が貫通される。
【００５６】
ユニット面材８３は、略矩形状に形成された例えば樹脂製等の幕材や金網等が用いられる。ユニット面材８３は、下ユニット連結梁８１と上ユニット連結梁８２とに取り付けられる。ユニット面材８３は、隣接する２つの支柱部材２、２同士を連結する。ユニット面材８３は、下ユニット連結梁８１と上ユニット連結梁８２と支柱部材２と、に取り付けられる。ユニット面材８３は、上端側、下端側及び側端側に孔８３ｃが複数形成される。ユニット面材８３は、下端側の孔８３ｃが下ユニット連結梁８１の孔８１ｃに位置合わせされ、紐等の取付手段を介して下ユニット連結梁８１に取り付けられる。ユニット面材８３は、上端側の孔８３ｃが上ユニット連結梁８２の孔８２ｃと位置合わせされ、紐等の取付手段を介して上ユニット連結梁８２に取り付けられる。ユニット面材８３は、側端側の孔８３ｃに紐等の取付手段を介して支柱本体部２１に取り付けられる。
【００５７】
次に、動物誘導装置１０を用いて野生動物を所定の場所に誘導し、動物捕獲装置１００を用いて野生動物を捕獲する方法について、説明する。
【００５８】
図９は、実施形態における動物捕獲装置１００の一例を示す平面図である。この動物捕獲装置１００は、動物誘導装置１０と、動物誘導装置１０の近傍に設けられる捕獲装置９とを備えている。例えば、動物捕獲装置１００は、動物誘導装置１０と捕獲装置９が連結されており、捕獲装置９は、動物捕獲装置１０に取り付けた面材３３に向かい合って配置され、捕獲装置９に向かい合って配置される面材３３の下端または一部が支柱及び支柱連結部材に接続されていない態様とされていてもよい。これにより、野生動物がこの面材３３の下端または一部から潜り込むことができる。そして、潜り込んできた野生動物を捕獲装置９内に侵入させて、野生動物を捕獲することができる。
【００５９】
図１０（ａ）は、面材３３を１つ有する構造ユニット１を示す平面図である。構造ユニット１は、３つの支柱部材２がそれぞれ支柱連結部材３により連結される。構造ユニット１は、図１０（ａ）に示すように、３つの支柱連結部材３のうち１つの支柱連結部材３が側面領域Ｓに沿って設けられる面材３３を有する。構造ユニット１は、面材３３が設けられない支柱連結部材３については、側面領域Ｓが四角形状に開口された開口部Ｅが２つ形成されることとなる。野生動物は、開口部Ｅから空間Ｑに侵入することができる。
【００６０】
図１０（ｂ）は、面材３３を２つ有する構造ユニット１を示す平面図である。構造ユニット１は、図１０（ｂ）に示すように、３つの支柱連結部材３のうち２つの支柱連結部材３が側面領域Ｓに沿って設けられる面材３３を有する。構造ユニット１は、面材３３が設けられない支柱連結部材３については、側面領域Ｓが四角形状に開口された開口部Ｅが１つ形成されることとなる。野生動物は、開口部Ｅから空間Ｑに侵入することができる。
【００６１】
動物誘導装置１０は、図１０（ａ）及び図１０（ｂ）に示す構造ユニット１を複数隣接して配置し、複数の構造ユニット１が第１配置Ａ、第２配置Ｂ及び第３配置Ｃで配置される。このとき、動物誘導装置１０は、図９に示すように、一の構造ユニット１の面材３３は、一の構造ユニット１に隣接する他の構造ユニット１の面材３３と、横方向に略隙間なく連続するように設けられる。このとき、一の構造ユニット１の面材３３と、他の構造ユニット１の面材３３とにより挟まれる角度θは、平面視で如何なる角度であってもよいが、９０°より大きく１８０°以下であることが好ましい。また、一の構造ユニット１の面材３３と、この面材３３に隣接するユニット面材８３とにより挟まれる角度φは、平面視で如何なる角度であってもよいが、９０°より大きく１８０°以下であることが好ましい。
【００６２】
ここで、シカ等の野生動物は、面材３３に沿って移動する習性を有する。このため、動物誘導装置１０は、近づいてきた野生動物を横方向に連続するように設けられた複数の面材３３に沿って移動させることができ、所定の場所に誘導することができる。
【００６３】
そして、動物捕獲装置１００は、構造ユニット１の近傍に設けた捕獲装置９により、所定の場所に誘導された野生動物を捕獲することができる。
【００６４】
このように、動物誘導装置１０では、複数の構造ユニット１を第１配置Ａ、第２配置Ｂ及び第３配置Ｃとなるように配置することができる。そして、各々の構造ユニット１の３つの支柱連結部材３のうちから、面材３３を設ける１つ又は２つの支柱連結部材３を適宜選択することができる。このため、各々の構造ユニット１の配置と、面材３３の位置をユーザ側で適宜設定することで、野生動物を所定の場所に誘導できる。このため、野生動物の習性等に応じて最適な配置とすることが可能となる。
【００６５】
本実施形態に係る構造ユニット１によれば、間隔を空けて地面に立設される３つの支柱部材２と、隣接する２つの支柱部材２、２同士を連結する３つの支柱連結部材３と、を備え、３つの支柱部材２の下端部２ａを結んで形成される三角形状の底面領域Ｄと、支柱連結部材３により連結される２つの支柱部材２、２の上端部２ｂ及び下端部２ａを結んで形成されるとともに底面領域Ｄの一辺を底辺とした側面領域Ｓと、により囲まれる空間Ｑが形成される。これにより、構造ユニット１を安定した状態で地面Ｇに自立させることができる。また、ある１つの支柱部材２は、両隣りの他の２つの支柱部材２、２に支柱連結部材３によりそれぞれ連結され、両隣りの他の２つの支柱部材２、２同士も支柱連結部材３により連結される。即ち、三角形状に配置された３つの支柱部材２が互いに支柱連結部材３で連結される。このため、構造ユニット１に野生動物が接触してある１つの支柱部材２に転倒しようとする力が作用したとき、この１つの支柱部材２に連結された両隣りの他の２つの支柱部材２、２により、この力に抵抗することができる。このため、構造ユニット１の転倒を防止することが可能となる。
【００６６】
また、本実施形態に係る構造ユニット１によれば、支柱部材２が地面Ｇに立設される。これにより、支柱部材２を地面Ｇに埋設させる必要がない。このため、構造ユニット１の組み立てと解体を容易に行うことができる。
【００６７】
また、本実施形態に係る構造ユニット１によれば、隣接して複数配置させることができる。このため、野生動物の習性等に応じて最適な配置とすることが可能となる。
【００６８】
本実施形態に係る構造ユニット１によれば、支柱連結部材３は、隣接する２つの支柱部材２、２の下端部２ａ、２ａ同士を連結する下連結梁３１と、隣接する２つの支柱部材２、２を連結して下連結梁３１よりも上側に配置される上連結梁３２と、を有する。これにより、構造ユニット１を更に安定した状態で地面Ｇに自立させることができる。また、構造ユニット１に野生動物が接触した場合であっても、構造ユニット１の転倒を更に防止することが可能となる。
【００６９】
本実施形態に係る構造ユニット１によれば、３つの支柱連結部材３のうち１つ又は２つの支柱連結部材３は、側面領域Ｓに沿って設けられる面材３３を有する。これにより、野生動物を所定の場所によりスムーズに誘導することができる。
【００７０】
本実施形態に係る動物誘導装置１０によれば、第１の構造ユニット１１と、第１の構造ユニット１１に隣接する第２の構造ユニット１２とは、第１の構造ユニット１１における３つの支柱部材２のうちの１つの支柱部材２が、第２の構造ユニット１２における３つの支柱部材２のうちの１つの支柱部材２である第１配置Ａ、及び、第１の構造ユニット１１における３つの支柱部材２のうちの２つの支柱部材２が、第２の構造ユニット１２における３つの支柱部材２のうちの２つの支柱部材２である第２配置Ｂ、の少なくとも何れかで配置される。即ち、第１の構造ユニット１１と第２の構造ユニット１２とを隣接して配置するとき、１つ又は２つの支柱部材２が共通化される。これにより、隣接して配置された構造ユニット１１、１２をより安定した状態で地面Ｇに自立させることができる。また、構造ユニット１１、１２に野生動物の接触等によりある１つの支柱部材２に転倒しようとする力が作用したとき、この１つの支柱部材２に連結される両隣りの他の２つの支柱部材２、２が、この力に抵抗することができる。このため、構造ユニット１１、１２の転倒を防止することが可能となる。
【００７１】
また、本実施形態に係る動物誘導装置１０によれば、第１の構造ユニット１１と第２の構造ユニット１２とを隣接して配置するとき、１つ又は２つの支柱部材２が共通化されるため、構造ユニット１１、１２の組み立てと解体を容易に行うことができる。
【００７２】
また、本実施形態に係る動物誘導装置１０によれば、第１の構造ユニット１１と第２の構造ユニット１２とを隣接して配置するとき、１つ又は２つの支柱部材２が共通化されるため、野生動物の習性等に応じて最適な配置とすることが可能となる。
【００７３】
本実施形態に係る動物誘導装置１０によれば、各々の構造ユニット１は、３つの支柱部材の長さをそれぞれ同一とするとともに、３つの支柱連結部材３の長さをそれぞれ同一とする。これにより、各々の構造ユニット１を更に安定した状態で自立させることができる。また、各々の構造ユニット１の転倒を防止することが可能となる。
【００７４】
また、本実施形態に係る動物誘導装置１０によれば、各々の構造ユニット１の組み立てと解体を更に容易に行うことができる。また、本実施形態に係る動物誘導装置１０によれば、野生動物の習性等に応じて更に最適な配置とすることが可能となる。
【００７５】
本実施形態に係る動物誘導装置１０によれば、第１の構造ユニット１１と、第１の構造ユニット１１に離間して配置される第３の構造ユニット１３とを連結するユニット連結部材８を更に備える。これにより、野生動物の習性等に応じて更に最適な配置とすることが可能となる。
【００７６】
本実施形態に係る動物誘導装置１０によれば、ユニット連結部材８は、第１の構造ユニット１１における支柱部材２と、第３の構造ユニット１３における支柱部材２とを連結する。これにより、ユニット連結部材８に野生動物の接触等によりユニット連結部材８に転倒しようとする力が作用したとき、このユニット連結部材８に連結される両隣りの支柱部材２、２が、この力に抵抗することができる。このため、ユニット連結部材８の転倒を防止することが可能となる。
【００７７】
本実施形態に係る動物誘導装置１０によれば、１つ又は２つの支柱連結部材３は、側面領域Ｓに沿って設けられる面材３３を有し、第１の構造ユニット１１の面材３３と、第２の構造ユニット１２の面材３３とにより挟まれる角度θは、９０°より大きく１８０°以下である。これにより、シカ等の野生動物が面材３３に沿って移動するとき、野生動物の進路が面材３３によって急激に阻害されるのを抑制することができる。このため、野生動物を所定の場所に一層スムーズに誘導することができる。
【００７８】
本実施形態に係る動物誘導装置１０によれば、１つ又は２つの支柱連結部材３は、側面領域Ｓに沿って設けられる面材３３を有し、一の構造ユニット１の面材３３と、この面材３３に隣接するユニット面材８３とにより挟まれる角度φは、９０°より大きく１８０°以下である。これにより、シカ等の野生動物が面材３３、ユニット面材８３に沿って移動するとき、野生動物の進路が面材３３、ユニット面材８３によって急激に阻害されるのを抑制することができる。このため、野生動物を所定の場所に一層スムーズに誘導することができる。
【００７９】
本実施形態に係る動物捕獲装置１００によれば、動物誘導装置１０と、動物誘導装置１０に設けられて野生動物を捕獲するための捕獲装置９と、を備える。これにより、野生動物の捕獲を容易に行うことができる。
【００８０】
なお、本発明では、動物誘導装置１０は、隣接して配置される構造ユニット１が第１配置Ａ及び第２配置Ｂの少なくとも何れかで配置されればよい。
【００８１】
図１１は、動物捕獲装置１００の変形例を示す平面図である。この動物捕獲装置１００は、動物誘導装置１０と、動物誘導装置１０に設けられる捕獲装置９とを備える。この捕獲装置９は、各々の構造ユニット１の面材３３と、構造ユニット１における開口部Ｅと、により囲まれた囲い領域Ｋが形成される。捕獲装置９は、開口部Ｅに開閉扉７が設けられる。開閉扉７は、扉が開閉自在であり、野生動物が囲い領域Ｋに侵入したときに、扉が開いた状態から自動的に閉じた状態に、制御できる。
【００８２】
このときであっても、動物誘導装置１０は、近づいてきた野生動物を横方向に連続するように設けられた複数の面材３３に沿って移動させることができる。そして、動物誘導装置１０は、扉が開いた状態の開閉扉７が設けられた開口部Ｅから囲い領域Ｋに野生動物を誘導することができる。
【００８３】
そして、動物捕獲装置１００は、この捕獲装置９の開閉扉７を閉じることにより、囲い領域Ｋに誘導された野生動物を捕獲することができる。
【００８４】
図１２は、構造ユニット１の第１変形例を示す正面図である。構造ユニット１は、支柱部材２が複数（図示では２つ）の支柱本体部２１を有していてもよい。複数の支柱本体部２１は、クランプ等の繋ぎ具２９により互い繋がれていてもよい。
【００８５】
本変形例に係る構造ユニット１は、支柱部材２は、必ずしも１つの支柱本体部２１のみを有していることに限らず、複数の支柱本体部２１を有し、複数の支柱本体部２１が繋ぎ具２９により互いに繋がれる。これにより、構造ユニット１をより安定した状態で地面Ｇに自立させることができる。また、構造ユニット１の転倒を更に防止することが可能となる。
【００８６】
図１３は、構造ユニット１の第２変形例を示す正面図である。構造ユニット１は、支柱連結部材３が面材３３を有し、この面材３３の下側部分３３ｄが地面Ｇに沿って設けられる。
【００８７】
本変形例に係る構造ユニット１は、支柱連結部材３が面材３３を有し、この面材３３の下側部分３３ｄが地面Ｇに沿って設けられる。これにより、野生動物が面材３３から潜り込むのを防止することができる。このため、野生動物が面材３３から潜り込むこむことなく、野生動物を面材３３に沿って移動させることが可能となる。
【００８８】
図１４は、構造ユニット１の第３変形例を示す正面図である。構造ユニット１は、下連結梁３１は、第１板部（埋設部）３１ａが地面Ｇに埋設され、第２板部３１ｂが地面Ｇ上に設けられる。
【００８９】
本変形例に係る構造ユニット１によれば、下連結梁３１は、板状の第１板部（埋設部）３１ａと、第１板部（埋設部）３１ａに垂直な板状の第２板部３２ｂとを有し、第１板部（埋設部）３１ａは、地面Ｇに埋設される。これにより、空間Ｑに野生動物が侵入したとき、野生動物が下連結梁３１に躓くのを防止することができる。このため、野生動物を所定の場所にスムーズに誘導することができる。
【００９０】
図１５は、構造ユニット１の第４変形例を示す正面図である。支柱連結部材３は、下連結梁３１と上連結梁３２と接続するブレース材３４を更に有していてもよい。ブレース材３４は、長さが２ｍ程度、重量が１０ｋｇ以下程度の断面Ｌ字状の鋼製のフレーム材が用いられる。
【００９１】
本変形例に係る構造ユニット１によれば、支柱連結部材３は、下連結梁３１と上連結梁３２とを接続するブレース材３４を更に有する。これにより、構造ユニット１を一層安定した状態で地面Ｇに自立させることができる。また、構造ユニット１に野生動物が接触した場合であっても、構造ユニット１の転倒を一層防止することが可能となる。
【００９２】
図１６は、構造ユニット１の第５変形例を示す正面図である。支柱連結部材３は、支柱部材２、２と連結するブレース材３４を更に有していてもよい。ブレース材３４は、長さが２ｍ程度、重量が１０ｋｇ以下程度の断面Ｌ字状の鋼製のフレーム材が用いられる。
【００９３】
本変形例に係る構造ユニット１によれば、支柱連結部材３は、支柱部材２、２を連結するブレース材３４を更に有する。これにより、構造ユニット１は、一層安定した状態で地面Ｇに自立することができる。また、構造ユニット１に野生動物が接触した場合であっても、構造ユニット１の転倒を一層防止することが可能となる。
【００９４】
図１７は、構造ユニット１の第６変形例を示す斜視図である。構造ユニット１は、３つの支柱部材２の下端部２ａを仮想的に結んで形成される三角形状の底面領域Ｄと、支柱連結部材３により連結される２つの支柱部材２の上端部２ｂ及び下端部２ａを仮想的に結んで形成されるとともに底面領域Ｄの一辺を底辺とした三角形状の３つの側面領域Ｓと、により囲まれる三角錐状の空間Ｑが形成されてもよい。
【００９５】
底面領域Ｄは、平面視で正三角形状に形成される。底面領域Ｄは、平面視で直角三角形状に形成されてもよいし、平面視で二等辺三角形状に形成されてもよい。
【００９６】
本変形例に係る構造ユニット１によれば、三角錐状の空間Ｑが形成される。これにより、部材の数を少なくすることができる。このため、組み立てと解体をより短時間で行うことができる。
【００９７】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００９８】
１００  ：動物捕獲装置
１０    ：動物誘導装置
１      ：構造ユニット
２      ：支柱部材
２ａ    ：下端部
２ｂ    ：上端部
２１    ：支柱本体部
２２    ：ベースプレート
２２ａ  ：棒状部
２３    ：突出部
２９    ：繋ぎ具
３      ：支柱連結部材
３１    ：下連結梁
３１ａ  ：第１板部
３１ｂ  ：第２板部
３１ｃ  ：孔
３２    ：上連結梁
３２ａ  ：第１板部
３２ｂ  ：第２板部
３２ｃ  ：孔
３３    ：面材
３３ｃ  ：孔
３３ｄ  ：下側部分
３４    ：ブレース材
７      ：開閉扉
８      ：ユニット連結部材
８１    ：下ユニット連結梁
８１ａ  ：第１板部
８１ｂ  ：第２板部
８１ｃ  ：孔
８２    ：上ユニット連結梁
８２ａ  ：第１板部
８２ｂ  ：第２板部
８２ｃ  ：孔
８３    ：ユニット面材
８３ｃ  ：孔
９      ：捕獲装置
Ｑ      ：空間
Ｄ      ：底面領域
Ｓ      ：側面領域
Ｕ      ：上面領域
Ａ      ：第１配置
Ｂ      ：第２配置
Ｃ      ：第３配置
Ｅ      ：開口部
Ｇ      ：地面
Ｋ      ：囲い領域
【図１】
2020156396.tif 000003
【図２】
2020156396.tif 000004
【図３】
2020156396.tif 000005
【図４】
2020156396.tif 000006
【図５】
2020156396.tif 000007
【図６】
2020156396.tif 000008
【図７】
2020156396.tif 000009
【図８】
2020156396.tif 000010
【図９】
2020156396.tif 000011
【図１０】
2020156396.tif 000012
【図１１】
2020156396.tif 000013
【図１２】
2020156396.tif 000014
【図１３】
2020156396.tif 000015
【図１４】
2020156396.tif 000016
【図１５】
2020156396.tif 000017
【図１６】
2020156396.tif 000018
【図１７】
2020156396.tif 000019